(57)【要約】【課題】適切な位置登録を要求する移動体通信端末を提供することである。【解決手段】端末がセクタ２２からセクタ２４にゾーン移行すると、登録位置番号Ｌｏｋ（１０）が、在圏ゾーンの位置番号（２０，２１，２２，２３）中にないため、端末は、位置登録処理を起動する。ここで、位置登録が失敗すると、端末は、失敗網番号Ｎｅｒｒに「Ａ」をセットし、失敗位置番号Ｌｅｒｒに「２０」をセットする。更に端末がセクタ２４からセクタ２５にゾーン移行すると、登録位置番号Ｌｏｋ（１０）が在圏ゾーンの位置番号（２０，２１，２２，２３）中にないため、失敗位置番号Ｌｅｒｒと在圏ゾーンの位置番号とを比較する。この場合、失敗位置番号Ｌｅｒｒ（２０）が在圏ゾーンの位置番号（２０，２１，２２，２３）の中に含まれているため、端末は、位置登録処理を起動しない。【選択図】　図４
2004032297.tif 000002
【特許請求の範囲】
【請求項１】
複数の無線ゾーンからなる通信網を介して、通信を行う移動体通信端末であって、
通信網への位置登録の成否に対応した複数の網情報を記憶する網情報記憶手段と、
在圏ゾーンに対応した網情報を受信する網情報受信手段と、
ゾーン移行に伴い、前記網情報受信手段が受信した網情報と、前記網情報記憶手段が記憶する複数の網情報との関係に従って、新たな位置登録の必要性の有無を判別する判別手段と、
前記判別手段により位置登録が必要ありと判別された場合に、通信網への位置登録を要求する登録要求制御手段と、
を備えることを特徴とする移動体通信端末。
【請求項２】
前記登録要求制御手段が行った位置登録の要求に応答して、通信網から送られる位置登録の成否を示す成否情報を受信する成否情報受信手段と、
前記成否情報受信手段が受信した成否情報に従って、前記網情報受信手段が受信した網情報を、成否に対応して前記網情報記憶手段に格納する格納手段と、を更に備える、
ことを特徴とする請求項１に記載の移動体通信端末。
【請求項３】
前記登録要求制御手段は、前記成否情報受信手段が受信した成否情報が、位置登録の失敗を示す情報であり、かつ、前記網情報受信手段が受信した網情報と、前記網情報記憶手段が記憶する複数の網情報とが特定の関係となる場合に、所定時間の経過を待って、通信網への位置登録を要求する、
ことを特徴とする請求項２に記載の移動体通信端末。
【請求項４】
複数の網番号エリアと、該網番号エリアに内包される複数の位置登録エリアと、該位置登録エリアに内包される複数のセクタと、からなる通信網を介して、通信を行う移動体通信端末であって、
網番号エリアを識別する網番号及び、位置登録エリアを識別する位置番号を含んだ網情報を、在圏ゾーンに応じて受信する網情報受信手段と、
位置登録に成功した網情報及び、位置登録に失敗した網情報をそれぞれ記憶する網情報記憶手段と、
ゾーン移行に伴い、前記網情報受信手段が受信した網情報と、前記網情報記憶手段が記憶する２つの網情報との関係に従って、新たな位置登録の必要性の有無を判別する判別手段と、
前記判別手段により位置登録が必要ありと判別された場合に、通信網への位置登録を要求する登録要求制御手段と、
を備えることを特徴とする移動体通信端末。
【請求項５】
前記判別手段は、前記網情報受信手段が受信した網情報に含まれる網番号と、前記網情報記憶手段が記憶する位置登録に成功した網情報に含まれる網番号とが一致しない場合、及び、該２つの網番号が一致しても、前記網情報受信手段が受信した網情報に含まれる位置番号が、前記網情報記憶手段が記憶する何れの網情報に含まれる位置番号とも一致しない場合に、新たな位置登録が必要ありと判別する、
ことを特徴とする請求項４に記載の移動体通信端末。
【請求項６】
前記登録要求制御手段が行った位置登録の要求に応答して、通信網から送られる位置登録の成否を示す成否情報を受信する成否情報受信手段と、
前記成否情報受信手段が受信した成否情報に従って、前記網情報受信手段が受信した網情報を、位置登録に成功した網情報或いは、位置登録に失敗した網情報として、前記網情報記憶手段に格納する格納手段と、を更に備える、
ことを特徴とする請求項４又は５に記載の移動体通信端末。
【請求項７】
前記登録要求制御手段は、前記成否情報受信手段が受信した成否情報が、位置登録の失敗を示す情報であり、かつ、前記網情報記憶手段が記憶する２つの網情報に含まれる網番号が一致しない場合に、所定時間の経過を待って、通信網への位置登録を要求する、
ことを特徴とする請求項６に記載の移動体通信端末。
【請求項８】
複数の無線ゾーンからなる通信網を介して、通信を行う移動体通信端末における位置登録制御方法であって、
在圏ゾーンに対応した網情報を受信する網情報受信ステップと、
ゾーン移行に伴い、前記網情報受信ステップにて受信された網情報と、所定の記憶部に記憶される通信網への位置登録の成否に対応した複数の網情報との関係に従って、新たな位置登録の必要性の有無を判別する判別ステップと、
前記判別ステップにて位置登録の必要ありと判別された場合に、通信網への位置登録を要求する登録要求制御ステップと、
を備えることを特徴とする位置登録制御方法。
【請求項９】
前記登録要求制御ステップにて行われた位置登録の要求に応答して、通信網から送られる位置登録の成否を示す成否情報を受信する成否情報受信ステップと、前記成否情報受信ステップにて受信された成否情報に従って、前記網情報受信ステップにて受信された網情報を、成否に対応して所定の記憶部に格納する格納ステップと、を更に備える、
ことを特徴とする請求項８に記載の位置登録制御方法。
【請求項１０】
前記登録要求制御ステップは、前記成否情報受信ステップにて受信された成否情報が、位置登録の失敗を示す情報であり、かつ、前記網情報受信ステップにて受信された網情報と、所定の記憶部に記憶される複数の網情報とが特定の関係となる場合に、所定時間の経過を待って、通信網への位置登録を要求する、
ことを特徴とする請求項９に記載の位置登録制御方法。
【発明の詳細な説明】
【０００１】
【発明の属する技術分野】
この発明は、移動体通信端末および位置登録制御方法に関する。
【０００２】
【従来の技術】
近年、移動体通信システムの進歩に伴って、携帯電話機等の移動体通信端末（以下、「端末」と略す）が広く普及している。このような移動体通信システムでは、複数の基地局が細かいセルとして分散して設置されており、通信網（以下、「網」と略す）を構成している。
そして、各基地局には、制御チャネルが設けられており、この制御チャネル上にて、端末と網との通信が行われる。なお、１制御チャネルにてカバーされる最小単位（ゾーン）は、セクタと呼ばれている。また、複数のセクタをまとめて、同一の位置番号を持たせたエリアが、位置登録エリアと呼ばれている。
【０００３】
移動体通信システムを運営する事業者等は、複数の位置登録エリアを所定地域毎に分けて網番号エリアとして管理し、それぞれの網番号エリアに網番号を採番して識別している。また、各位置登録エリアにも、位置番号を採番して識別している。
具体的に説明すると、図６に示すように、セクタを最小ゾーンとし、同一の位置番号を持つ複数のセクタが、位置登録エリアとして管理され、更に、同一の網番号を持つ複数の位置登録エリアが網番号エリアとして管理されている。
一例として、「網番号Ａ」の網番号エリア（網番号Ａエリア）には、「位置番号１０」〜「位置番号５０」の５つの位置登録エリアがそれぞれ存在する。また、「位置番号１０」には、「セクタ１」〜「セクタ３」の３つのセクタが存在している。そして、端末が網番号Ａエリアにおけるどの位置登録エリア内に在圏していても、制御チャネル上にて報知される報知情報の網番号は、同一に「Ａ」である。更に、端末が位置番号１０エリアにおけるどのセクタ内に在圏していても、報知情報にて、位置番号が同一に「１０」と報知される。
【０００４】
一般に、端末は、内部に記憶部を有しており、このような報知情報にて報知される網番号及び位置番号（網情報）を記憶する。一方、網側でも、各端末に対応付けて網番号及び位置番号が記憶される。つまり、端末側と網側とで、それぞれの状態を一致させるべく、網番号及び位置番号がそれぞれ管理される。そして、網側は、管理する網番号及び位置番号（端末に対応する網番号及び位置番号）を、一斉呼出等に使用している。
【０００５】
そのため、端末は、ゾーン移行時（電源投入時等も含む）に、記憶部に記憶している網番号及び位置番号と、報知情報にて報知される網番号及び位置番号とを比較して、必要となった場合に（網番号や位置番号が異なる場合に）、網に対して位置登録を行う。
例えば、図６に示すセクタ２とセクタ４との間でゾーン移行が発生した場合に、端末は、以下のように動作する。なお、端末は、セクタ２にて電源が投入されたものとし、位置登録を行って（位置登録が成功し）、自己の記憶部に位置番号「１０」等を記憶しているものとする。
【０００６】
端末がセクタ２からセクタ４にゾーン移行すると、記憶部に記憶される位置番号（１０）と報知情報にて報知される位置番号（２０）とが異なるため、端末は、位置登録処理（位置登録手順）を起動する。つまり、端末は、網に対して新しい位置番号「２０」の位置登録を要求し、位置登録が成功すると、記憶部に位置番号「２０」等を記憶する。
再度、端末がセクタ４からセクタ２にゾーン移行すると、記憶部に記憶される位置番号（２０）と報知情報にて報知される位置番号（１０）とが異なるため、同様に端末は、位置登録処理を起動する。
【０００７】
このようなゾーン移行の判断と、位置登録処理の起動により、端末側と網側とでは、網番号及び位置番号等の一致が保たれることとなる。
それでも、このような方式は、端末がどのセクタ間をゾーン移行した場合でも、必ず位置登録処理が起動されてしまうため、トラフィックの増大が懸念されていた。
そこで、最近では、トラフィックの増大を抑制するために、各位置登録エリアにおいて、位置番号を多重化するという手法が用いられている。
【０００８】
図７に位置番号が多重化された位置登録エリアの一例を示す。図７に示すように、位置登録エリアＸには、位置番号「１０，１２，１６，２０」が多重化されて管理されており、また、位置登録エリアＹには、位置番号「２０，２１，２２，２３」が多重化されて管理されている。そして、網側は、各端末に対し報知情報にて、このように多重化された位置番号等を報知する。
一方、端末は、位置登録時（位置登録成功時）に、多重化された位置番号における先頭の位置番号を記憶部に記憶する。例えば、位置登録エリアＸに在圏している端末は、網に対して位置登録を要求し、位置登録が成功した場合に、位置番号「１０」を記憶部に記憶する。
【０００９】
そして、端末がゾーン移行しても、報知される多重化された位置番号の中に、自己が記憶している位置番号が含まれている場合に、端末は、位置登録処理を起動させない。
例えば、図７に示すセクタ２２とセクタ２４との間でゾーン移行が発生した場合に、端末は、以下のように動作する。なお、端末は、セクタ２２にて電源が投入されたものとし、位置登録を行って（位置登録が成功し）、記憶部に位置番号「１０」を記憶しているものとする。
【００１０】
端末がセクタ２２からセクタ２４にゾーン移行すると、記憶部に記憶されている位置番号（１０）が、報知情報にて報知される位置番号（２０，２１，２２，２３）の中に含まれていないため、端末は、位置登録処理を起動する。そして、位置登録が成功すると、端末は、記憶部に位置番号「２０」を記憶する。
再度、端末がセクタ２４からセクタ２２にゾーン移行すると、記憶部に記憶されている位置番号（２０）が、報知される位置番号（１０，１２，１６，２０）の中に含まれるため、端末は、位置登録処理を起動しない。そして、端末は、依然として、記憶部に位置番号「２０」を記憶し続ける。
そして、再度、端末がセクタ２２からセクタ２４にゾーン移行しても、記憶部に記憶される位置番号（２０）が、報知される位置番号（２０，２１，２２，２３）の中に含まれるため、同様に端末は、位置登録処理を起動しない。
【００１１】
つまり、異なる位置登録エリア間を跨ぐゾーン移行であっても、位置番号の多重化により、位置登録処理を起動させなくて済む場合があり、トラフィックの増大を抑制することができる。
【００１２】
【発明が解決しようとする課題】
上述した位置番号の多重化手法を採用した移動体通信システムにおける端末の処理動作について、図８及び図９を参照して詳細に説明する。図８は、ゾーン移行時に実行される登録判定処理を説明するためのフローチャートであり、図９は、位置登録の要求後に実行される位置登録後処理を説明するためのフローチャートである。
【００１３】
まず、図８を参照して、登録判定処理について説明する。
ゾーン移行が発生すると、端末は、記憶部に記憶される網番号と報知情報にて報知される網番号とを比較し、網番号の変化の有無を判別する（ステップＳ１０１）。
端末は、網番号に変化が有ったと判別した場合、位置登録処理を起動する（ステップＳ１０２）。
【００１４】
一方、上述のステップＳ１０１にて、網番号に変化が無かったと判別した場合に、端末は、記憶部に記憶される位置番号と報知情報にて報知される位置番号とを比較し、位置番号の変化の有無を判別する（ステップＳ１０３）。なお、端末は、多重化された位置番号の中に自己が記憶している位置番号が含まれていない場合に、位置番号が変化したと判別する。
端末は、位置番号に変化が有ったと判別した場合、位置登録処理を起動する（ステップＳ１０４）。
また、ステップＳ１０３にて、位置番号に変化が無かったと判別した場合、位置登録を行わない（ステップＳ１０５）。
【００１５】
次に、図９を参照して、位置登録後処理について説明する。なお、この位置登録後処理は、上述した図８の登録判定処理にて、位置登録処理を起動した場合にだけ実行される。なお、端末内の記憶部には、位置登録が成功した網番号及び位置番号を管理するために、登録網番号Ｎ及び登録位置番号Ｌが記憶されるものとする。
端末は、位置登録受付を示す情報（位置登録の成功を示す情報）を網側から受信したか否かを判別する（ステップＳ１１１）。
端末は、位置登録受付を受信したと判別した場合に、自己の記憶部に記憶している登録網番号Ｎに、在圏ゾーンの網番号をセットする（ステップＳ１１２）。また、端末は、記憶部に記憶している登録位置番号Ｌに、在圏ゾーンの位置番号をセットする（ステップＳ１１３）。
そして、端末は、在圏ゾーンにて待ち受けを行う（ステップＳ１１４）。
【００１６】
一方、上述のステップＳ１１１にて、位置登録受付を受信していない場合に、端末は、位置登録拒否を示す情報を網側から受信したか否かを判別する（ステップＳ１１５）。そして、位置登録拒否を受信したと判別した場合に、端末は、その理由が位置登録失敗によるものであるか否かを判別する（ステップＳ１１６）。
端末は、これらの場合に、上述のステップＳ１１４に処理を進めて、在圏ゾーンにて待ち受けを行う。つまり、位置登録に失敗したため、登録網番号Ｎ及び登録位置番号Ｌの更新は、行われない。
【００１７】
しかしながら、上述した図８及び図９に示す従来の処理では、網と端末との間のトラフィックが増大してしまう場合があるだけでなく、端末の一斉呼出等に不都合を生じさせてしまう場合があった。これは、網に対する位置登録の要求を行っても、現実には、位置登録が失敗してしまう場合があることに起因している。なお、位置登録の失敗（位置登録失敗を理由とした位置登録拒否の受信）は、網と端末との間にてトラフィックが輻輳している場合や、端末が機種交換された古い方の機種だった場合等に生じる。
【００１８】
そして、このような場合に、移動体通信システムにおける標準仕様（ＲＣＲ；Ｒｅｓｅａｒｃｈ　＆　ｄｅｖｅｌｏｐｍｅｎｔ　Ｃｅｎｔｅｒ　ｆｏｒ　Ｒａｄｉｏ　ｓｙｓｔｅｍ）では、以下のように規定している。
任意の無線ゾーンでの位置登録手順において、端末が位置登録拒否（理由：位置登録失敗）を受信すると、端末はそのゾーンに止まり、そのゾーン内では、位置登録手順を再起動しない（ＲＣＲ　ＳＴＤ−２７）。
ゾーン移行した後、端末にて記憶される位置番号が、報知情報にて報知される位置番号に含まれないとき、又は、記憶される網番号と報知される網番号とが異なるときに、端末は位置登録手順を起動する（ＲＣＲ　ＳＴＤ−２７）。
【００１９】
以下、図７を再度参照して、位置登録が失敗した場合を含む端末の動作について、具体的に説明する。なお、端末は、セクタ２２にて電源が投入されたものとし、位置登録を行って（位置登録が成功し）、記憶部に位置番号「１０」を記憶しているものとする。
【００２０】
まず、端末がセクタ２２からセクタ２４にゾーン移行すると、記憶部に記憶されている位置番号（１０）が、報知情報にて報知される位置番号（２０，２１，２２，２３）の中に含まれていないため、端末は、位置登録処理を起動する。
ここで、位置登録が失敗すると（位置登録失敗を理由とした位置登録拒否を受信すると）、端末は、記憶部に位置番号「１０」を記憶したまま、セクタ２４にて待ち受けを行う。
この状態で、端末がセクタ２４からセクタ２５又はセクタ２６等にゾーン移行すると、記憶部に記憶されている位置番号（１０）が、報知される位置番号（２０，２１，２２，２３）の中に含まれていないため、端末は、位置登録処理を起動することとなる。
一方、位置登録が失敗した状態で、端末がセクタ２４からセクタ２２又はセクタ２３等にゾーン移行すると、記憶部に記憶されている位置番号（１０）が、報知される位置番号（１０，１２，１６，２０）の中に含まれるため、端末は、位置登録処理を起動しない。そして、端末は、依然として、記憶部に位置番号「１０」を記憶し続ける。
【００２１】
つまり、位置登録が失敗している状態で、更なるゾーン移行に伴って、端末は、位置登録処理を起動し、網に対して位置登録を要求するため、網と端末との間のトラフィックを増大させてしまう。
また、網番号エリア間を跨ぐゾーン移行時に位置登録が失敗してしまうと、網側にて管理している端末の網番号が実際の網番号と異なるため、移行後のゾーンにて端末が待ち受けていても、着信（一斉呼出）のためのページングが降りてこないこととなる。
【００２２】
このように、従来の移動体通信端末は、位置登録が失敗した場合（位置登録失敗を理由とした位置登録拒否を受信した場合）に、網側に対して不必要な位置登録を要求してしまうため、網と端末との間のトラフィックを増大させてしまうという問題があった。また、網番号エリア間を跨ぐゾーン移行時に位置登録が失敗してしまうと、着信（一斉呼出）が受けられない状態が存在してしまうという問題があった。
【００２３】
この発明は、上記実状に鑑みてなされたもので、通信網に対して適切な位置登録を要求することのできる移動体通信端末および位置登録制御方法を提供することを目的とする。
【００２４】
【課題を解決するための手段】
上記目的を達成するため、本発明の第１の観点に係る移動体通信端末は、
複数の無線ゾーンからなる通信網を介して、通信を行う移動体通信端末であって、
通信網への位置登録の成否に対応した複数の網情報を記憶する網情報記憶手段と、
在圏ゾーンに対応した網情報を受信する網情報受信手段と、
ゾーン移行に伴い、前記網情報受信手段が受信した網情報と、前記網情報記憶手段が記憶する複数の網情報との関係に従って、新たな位置登録の必要性の有無を判別する判別手段と、
前記判別手段により位置登録が必要ありと判別された場合に、通信網への位置登録を要求する登録要求制御手段と、
を備えることを特徴とする。
【００２５】
上記の移動体通信端末は、前記登録要求制御手段が行った位置登録の要求に応答して、通信網から送られる位置登録の成否を示す成否情報を受信する成否情報受信手段と、
前記成否情報受信手段が受信した成否情報に従って、前記網情報受信手段が受信した網情報を、成否に対応して前記網情報記憶手段に格納する格納手段と、を更に備えてもよい。
【００２６】
前記登録要求制御手段は、前記成否情報受信手段が受信した成否情報が、位置登録の失敗を示す情報であり、かつ、前記網情報受信手段が受信した網情報と、前記網情報記憶手段が記憶する複数の網情報とが特定の関係となる場合に、所定時間の経過を待って、通信網への位置登録を要求してもよい。
【００２７】
上記目的を達成するため、本発明の第２の観点に係る移動体通信端末は、
複数の網番号エリアと、該網番号エリアに内包される複数の位置登録エリアと、該位置登録エリアに内包される複数のセクタと、からなる通信網を介して、通信を行う移動体通信端末であって、
網番号エリアを識別する網番号及び、位置登録エリアを識別する位置番号を含んだ網情報を、在圏ゾーンに応じて受信する網情報受信手段と、
位置登録に成功した網情報及び、位置登録に失敗した網情報をそれぞれ記憶する網情報記憶手段と、
ゾーン移行に伴い、前記網情報受信手段が受信した網情報と、前記網情報記憶手段が記憶する２つの網情報との関係に従って、新たな位置登録の必要性の有無を判別する判別手段と、
前記判別手段により位置登録が必要ありと判別された場合に、通信網への位置登録を要求する登録要求制御手段と、
を備えることを特徴とする。
【００２８】
前記判別手段は、前記網情報受信手段が受信した網情報に含まれる網番号と、前記網情報記憶手段が記憶する位置登録に成功した網情報に含まれる網番号とが一致しない場合、及び、該２つの網番号が一致しても、前記網情報受信手段が受信した網情報に含まれる位置番号が、前記網情報記憶手段が記憶する何れの網情報に含まれる位置番号とも一致しない場合に、新たな位置登録が必要ありと判別してもよい。
【００２９】
上記の移動体通信端末は、前記登録要求制御手段が行った位置登録の要求に応答して、通信網から送られる位置登録の成否を示す成否情報を受信する成否情報受信手段と、
前記成否情報受信手段が受信した成否情報に従って、前記網情報受信手段が受信した網情報を、位置登録に成功した網情報或いは、位置登録に失敗した網情報として、前記網情報記憶手段に格納する格納手段と、を更に備えてもよい。
【００３０】
前記登録要求制御手段は、前記成否情報受信手段が受信した成否情報が、位置登録の失敗を示す情報であり、かつ、前記網情報記憶手段が記憶する２つの網情報に含まれる網番号が一致しない場合に、所定時間の経過を待って、通信網への位置登録を要求してもよい。
【００３１】
上記目的を達成するため、本発明の第３の観点に係る位置登録制御方法は、
複数の無線ゾーンからなる通信網を介して、通信を行う移動体通信端末における位置登録制御方法であって、
在圏ゾーンに対応した網情報を受信する網情報受信ステップと、
ゾーン移行に伴い、前記網情報受信ステップにて受信された網情報と、所定の記憶部に記憶される通信網への位置登録の成否に対応した複数の網情報との関係に従って、新たな位置登録の必要性の有無を判別する判別ステップと、
前記判別ステップにて位置登録の必要ありと判別された場合に、通信網への位置登録を要求する登録要求制御ステップと、
を備えることを特徴とする。
【００３２】
上記の位置登録制御方法は、前記登録要求制御ステップにて行われた位置登録の要求に応答して、通信網から送られる位置登録の成否を示す成否情報を受信する成否情報受信ステップと、
前記成否情報受信ステップにて受信された成否情報に従って、前記網情報受信ステップにて受信された網情報を、成否に対応して所定の記憶部に格納する格納ステップと、を更に備えてもよい。
【００３３】
前記登録要求制御ステップは、前記成否情報受信ステップにて受信された成否情報が、位置登録の失敗を示す情報であり、かつ、前記網情報受信ステップにて受信された網情報と、所定の記憶部に記憶される複数の網情報とが特定の関係となる場合に、所定時間の経過を待って、通信網への位置登録を要求してもよい。
【００３４】
【発明の実施の形態】
本発明の実施の形態にかかる移動体通信端末について、以下図面を参照して説明する。なお、この移動体通信端末（以下、「端末」と略す）は、セル方式が採用され、かつ、位置番号の多重化手法が採用された移動体通信システムにて使用される。
つまり、通信網（以下、「網」と略す）は、複数の網番号エリアと、各網番号エリアに内包される複数の位置登録エリアと、各位置登録エリアに内包される複数のセクタと、からなる。そして、各網番号エリアは、網番号により識別可能に管理され、また、各位置登録エリアは、多重化された位置番号により識別可能に管理されている。
【００３５】
図１は、この発明の実施の形態に適用される端末の一例を示すブロック図である。図示するように、この端末は、アンテナ１と、無線部２と、ＲＯＭ３と、ＲＡＭ４と、処理部５と、表示部６と、キー操作部７と、スピーカ８と、マイク９とを含んで構成される。
【００３６】
アンテナ１は、エレメントを備えた所定のロッドアンテナ等からなり、無線部２から供給された通信情報を所定周波数の搬送波に重畳させ、近傍の基地局等に向けて送信する。
また、アンテナ１は、近傍の基地局等から送られる通信情報（電波）を受信して、無線部２に供給する。
【００３７】
無線部２は、処理部５に制御され、アンテナ１を介して近傍の基地局（最終的には、他の携帯電話機やサービスプロバイダ等）との間で、所定の通信情報（音声情報や通信パケット等）を送受信する。
また、無線部２は、基地局の制御チャネル上にて送られる網情報を受信する。なお、網情報には、網番号及び、多重化された位置番号が含まれている。
【００３８】
ＲＯＭ（Ｒｅａｄ　Ｏｎｌｙ　Ｍｅｍｏｒｙ）３は、後述する位置登録後処理、及び、登録判定処理等を規定するプログラムを予め記憶する。これらのプログラムは、処理部５にて適宜読み出され、実行される。
【００３９】
ＲＡＭ（Ｒａｎｄｏｍ　Ａｃｃｅｓｓ　Ｍｅｍｏｒｙ）４は、処理部５が、後述する位置登録後処理や登録判定処理等を実行する際に必要となるワーク情報や変数等を記憶する。
例えば、ＲＡＭ４には、位置登録が成功した網番号及び位置番号を管理するために、登録網番号Ｎｏｋ及び、登録位置番号Ｌｏｋが記憶される。また、位置登録が失敗した網番号及び位置番号を管理するために、失敗網番号Ｎｅｒｒ及び、失敗位置番号Ｌｅｒｒが記憶される。
更に、ＲＡＭ４は、位置登録が失敗した場合に、再度、位置登録処理（位置登録手順）を起動するまでの時間を規定する再起動時間（時間情報）を記憶する。なお、再起動時間は、網と端末とのトラフィックに過負荷を与えない時間情報となっている。
【００４０】
処理部５は、ＣＰＵ（Ｃｅｎｔｒａｌ　Ｐｒｏｃｅｓｓｉｎｇ　Ｕｎｉｔ）等からなり、ＲＯＭ３に記憶されたプログラム（位置登録後処理や登録判定処理等）を実行し、端末全体を制御する。なお、処理部５は、タイマ５ａを備えている。このタイマ５ａは、位置登録が失敗した場合に、再度、位置登録処理を起動するまでの時間を計時する。例えば、タイマ５ａは、ＲＡＭ４に記憶される再起動時間がセットされると動作を開始し、その時間分だけ計時する。
このような処理部５は、網側に対して位置登録の要求を行う。そして、位置登録の成否に応じて、登録網番号Ｎｏｋ・登録位置番号Ｌｏｋ、若しくは、失敗網番号Ｎｅｒｒ・失敗位置番号Ｌｅｒｒに、在圏ゾーンの網番号及び位置番号をセットする。そして、端末がゾーン移行した際に、網側から報知される網情報（網番号・位置番号）と、登録網番号Ｎｏｋ・登録位置番号Ｌｏｋ、及び、失敗網番号Ｎｅｒｒ・失敗位置番号Ｌｅｒｒとを比較し、必要に応じて位置登録処理を起動する。
【００４１】
表示部６は、液晶表示パネル等からなり、端末の動作状況を利用者に報知するための種々の情報を表示する。
【００４２】
キー操作部７は、端末正面（前面）等に配置された複数の操作キーからなる。例えば、操作部７には、数字キー、文字キー、ファンクションキー、及び、発信キー等が含まれている。
【００４３】
スピーカ８は、図示せぬベースバンド部等が復調した音声信号等に従って、音声等を発する。
マイク９は、コンデンサマイク等からなり、集音した利用者の音声等を音声信号に変換し、図示せぬベースバンド部等に供給する。
【００４４】
以下、この発明の実施の形態にかかる端末の動作について、図２及び図３を参照して説明する。図２は、位置登録後処理を説明するためのフローチャートであり、また、図３は、登録判定処理を説明するためのフローチャートである。
なお、これらの処理は、ＲＯＭ３に記憶されたプログラムが処理部５によって適宜読み出されて実行される。
【００４５】
最初に、図２を参照して位置登録後処理について説明する。なお、この位置登録後処理は、網側に対して位置登録を要求した後に開始される。
【００４６】
まず、処理部５は、網側から送られる位置登録受付を受信したか否かを判別する（ステップＳ１０）。すなわち、処理部５は、制御チャネル上にて送られる位置登録受付を示す情報（位置登録の成功を示す情報）を、無線部２を介して受信したか否かを判別する。
【００４７】
処理部５は、位置登録受付を受信したと判別した場合に、ＲＡＭ４に記憶している登録網番号Ｎｏｋに、在圏ゾーンの網番号をセットする（ステップＳ１１）。また、ＲＡＭ４に記憶している登録位置番号Ｌｏｋに、在圏ゾーンの位置番号をセットする（ステップＳ１２）。すなわち、処理部５は、登録網番号Ｎｏｋ、及び登録位置番号Ｌｏｋに、位置登録に成功した網番号及び位置番号（多重化された位置番号の先頭）をセットする。
そして、処理部５は、在圏ゾーンにて待ち受けを行う（ステップＳ１３）。
【００４８】
一方、上述のステップＳ１０にて、位置登録受付を受信していない場合に、処理部５は、網側から送られる位置登録拒否を受信したか否かを判別する（ステップＳ１４）。つまり、制御チャネル上にて送られる位置登録拒否を示す情報を、無線部２を介して受信したか否かを判別する。
そして、位置登録拒否を受信したと判別した場合に、処理部５は、その理由が位置登録失敗によるものであるか否かを判別する（ステップＳ１５）。
処理部５は、位置登録拒否を受信していない場合、及び、位置登録拒否を受信してもその理由が位置登録失敗によるものでない場合に、上述のステップＳ１３に処理を進めて、在圏ゾーンにて待ち受けを行う。
【００４９】
一方、位置登録拒否を受信し、その理由が位置登録失敗によるものである場合（位置登録が失敗した場合）に、処理部５は、ＲＡＭ４に記憶している失敗網番号Ｎｅｒｒに、在圏ゾーンの網番号をセットする（ステップＳ１６）。また、ＲＡＭ４に記憶している失敗位置番号Ｌｅｒｒに、在圏ゾーンの位置番号をセットする（ステップＳ１７）。すなわち、処理部５は、失敗網番号Ｎｅｒｒ、及び失敗位置番号Ｌｅｒｒに、位置登録に失敗した網番号及び位置番号をセットする。
【００５０】
そして、処理部５は、ＲＡＭ４にて記憶される失敗網番号Ｎｅｒｒの値が、登録網番号Ｎｏｋの値と等しいか否かを判別する（ステップＳ１８）。すなわち、位置登録に失敗した今回のゾーン移行が、網番号エリア間を跨ぐゾーン移行であったか否かを判別する。
処理部５は、失敗網番号Ｎｅｒｒと登録網番号Ｎｏｋとが等しいと判別した場合、上述のステップＳ１３に処理を進めて、在圏ゾーンにて待ち受けを行う。
【００５１】
一方、失敗網番号Ｎｅｒｒと登録網番号Ｎｏｋとが等しくないと判別した場合に、処理部５は、位置登録処理の起動のために、タイマ５ａを動作させる（ステップＳ１９）。例えば、処理部５は、ＲＡＭ４に記憶される再起動時間（網と端末とのトラフィックに過負荷を与えない時間情報）をタイマ５ａにセットし、計時を開始させる。
そして、処理部５は、上述のステップＳ１３に処理を進めて、在圏ゾーンにて待ち受けを行う。
なお、タイマ５ａがセットされた再起動時間の計時を終えると、処理部５は、再度、位置登録処理を起動する。すなわち、網番号エリア間を跨ぐゾーン移行において位置登録が失敗している状態であるため、網側に対して再度の位置登録を要求する。
【００５２】
次に、図３を参照して、登録判定処理について説明する。なお、この登録判定処理は、ゾーン移行時に開始される。
【００５３】
ゾーン移行が発生すると、処理部５は、ＲＡＭ４に記憶される登録網番号Ｎｏｋと、在圏ゾーンの網番号とを比較する（ステップＳ２１）。すなわち、処理部５は、ゾーン移行に伴い、制御チャネル上にて送られる網情報を無線部２を介して受信し、網情報に含まれる網番号と、位置登録が成功した登録網番号Ｎｏｋとを比較する。
そして、処理部５は、それぞれの網番号が相違するか否かを判別する（ステップＳ２２）。
【００５４】
処理部５は、網番号が相違すると判別した場合、位置登録処理を起動する（ステップＳ２３）。すなわち、処理部５は、無線部２を制御し、網側に対して位置登録を要求する。
【００５５】
一方、上述のステップＳ２２にて、網番号が相違しないと判別された場合に、処理部５は、ＲＡＭ４に記憶している登録位置番号Ｌｏｋと、在圏ゾーンの位置番号とを比較する（ステップＳ２４）。つまり、位置登録に成功した登録位置番号Ｌｏｋと、網情報に含まれる多重化された位置番号とを比較する。
そして、処理部５は、位置番号が相違するか否かを判別する（ステップＳ２５）。なお、処理部５は、多重化された位置番号の中に、登録位置番号Ｌｏｋが含まれていない場合に、位置番号が相違すると判別する。
【００５６】
処理部５は、位置番号が相違していると判別した場合、ＲＡＭ４に記憶している失敗位置番号Ｌｅｒｒと、在圏ゾーンの位置番号とを比較する（ステップＳ２６）。つまり、位置登録が失敗した失敗位置番号Ｌｅｒｒと、網情報に含まれる多重化された位置番号とを比較する。そして、位置番号が相違するか否かを判別する（ステップＳ２７）。なお、多重化された位置番号の中に、失敗位置番号Ｌｅｒｒが含まれていない場合に、処理部５は、位置番号が相違すると判別する。
【００５７】
処理部５は、位置番号が相違していると判別した場合、上述したステップＳ２３に処理を進めて、位置登録処理を起動する。
【００５８】
一方、上述のステップＳ２５又は、ステップＳ２７にて、位置番号が相違していない（一致している）と判別した場合に、処理部５は、位置登録を行わない（ステップＳ２８）。すなわち、位置登録処理を起動することなく、登録判定処理を終える。
【００５９】
上述したように、位置登録後処理及び、登録判定処理において、位置登録が成功した際に、登録網番号Ｎｏｋ・登録位置番号Ｌｏｋで網番号及び位置番号が管理され、また、位置登録が失敗した際に、失敗網番号Ｎｅｒｒ・失敗位置番号Ｌｅｒｒで網番号及び位置番号が管理される。
そして、端末がゾーン移行した際に、在圏ゾーンの位置番号が、登録位置番号Ｌｏｋ及び、失敗位置番号Ｌｅｒｒの何れかと一致すれば、位置登録処理を起動させないため、網と端末とのトラフィックの増大を抑制することができる。
また、網番号エリア間を跨ぐゾーン移行時に、位置登録が失敗した場合に、網と端末とのトラフィックに過負荷を与えないような時間経過を待ってから、位置登録処理を再度起動させている。このため、網と端末とのトラフィックの増大を抑制すると共に、着信（一斉呼出）のためのページングが降りてこない状況をなくすことができる。
この結果、通信網に対して適切な位置登録を要求することができる。
【００６０】
以下、図４と図５を参照して、上述した位置登録後処理及び、登録判定処理の実行に伴う端末の動作について、より具体的に説明する。
まず、図４を参照して、同じ網番号エリア内におけるゾーン移行時の端末の動作について説明する。なお、端末は、セクタ２２内の位置Ｐ１にて位置登録が成功した状態で待ち受けを行っているものとする。つまり、ＲＡＭ４の登録網番号Ｎｏｋには「Ａ」がセットされ、登録位置番号Ｌｏｋには「１０」がセットされている。
【００６１】
端末がセクタ２２からセクタ２４に（位置Ｐ１から位置Ｐ２に）ゾーン移行すると、登録位置番号Ｌｏｋ（１０）が、在圏ゾーンの位置番号（２０，２１，２２，２３）の中に含まれていないため、端末は、位置登録処理を起動する。
ここで、位置登録が失敗すると（位置登録失敗を理由とした位置登録拒否を受信すると）、端末は、ＲＡＭ４の失敗網番号Ｎｅｒｒに「Ａ」をセットし、失敗位置番号Ｌｅｒｒに「２０」をセットする。そして、セクタ２４内の位置Ｐ２にて待ち受けを行う。
【００６２】
更に端末がセクタ２４からセクタ２５に（位置Ｐ２から位置Ｐ３に）ゾーン移行すると、登録網番号Ｎｏｋ（Ａ）と失敗網番号Ｎｅｒｒ（Ａ）とが一致していることを判別する。そして、登録位置番号Ｌｏｋ（１０）が在圏ゾーンの位置番号（２０，２１，２２，２３）の中に含まれていないため、今度は、失敗位置番号Ｌｅｒｒと在圏ゾーンの位置番号とを比較することとなる。この場合、失敗位置番号Ｌｅｒｒ（２０）が在圏ゾーンの位置番号（２０，２１，２２，２３）の中に含まれているため、端末は、位置登録処理を起動しない。
つまり、網と端末との間におけるトラフィックを増大させないために、位置登録処理を起動しない。なお、ここで位置登録を網側に要求しなくとも、セクタ２５が位置登録を成功させたセクタ２２と同じ網番号エリア（Ａ）内なので、着信（一斉呼出）のためのページングは降りてくる。
【００６３】
次に、図５を参照して、異なる網番号エリア間を跨いだゾーン移行時の端末の動作について説明する。なお、端末は、セクタ３２内の位置Ｐ４にて位置登録が成功した状態で待ち受けを行っているものとする。つまり、ＲＡＭ４の登録網番号Ｎｏｋには「Ａ」がセットされ、登録位置番号Ｌｏｋには「１０」がセットされている。
【００６４】
端末がセクタ３２からセクタ４４に（位置Ｐ４から位置Ｐ５に）ゾーン移行すると、登録網番号Ｎｏｋ（Ａ）が、在圏ゾーンの網番号（Ｂ）と一致しないため、端末は、位置登録処理を起動する。
ここで、位置登録が失敗すると、端末は、ＲＡＭ４の失敗網番号Ｎｅｒｒに「Ｂ」をセットし、失敗位置番号Ｌｅｒｒに「２０」をセットする。そして、セクタ４４内の位置Ｐ５にて待ち受けを行う。
なお、登録網番号Ｎｏｋ（Ａ）と失敗網番号Ｎｅｒｒ（Ｂ）とが一致しないため、端末は、タイマ５ａに、ＲＡＭ４に記憶している再起動時間をセットし、計時を開始させる。つまり、このままでは、着信（一斉呼出）のためのページングが降りてこないため、端末は、網と端末とのトラフィックに過負荷を与えないような時間経過を待って、位置登録処理を起動することとなる。
【００６５】
タイマ５ａによる計時が完了する前（位置登録処理を起動する前）に、更に端末がセクタ４４からセクタ４６に（位置Ｐ５から位置Ｐ６に）ゾーン移行すると、ここでも端末は、登録網番号Ｎｏｋ（Ａ）が、在圏ゾーンの網番号（Ｂ）と一致しないことを認識する。この場合、たとえ失敗網番号Ｎｅｒｒ（Ｂ）が在圏ゾーンの網番号（Ｂ）と一致していても無視し、失敗位置番号Ｌｅｒｒが在圏ゾーンの位置番号と一致していても無視する。
つまり、依然として、在圏する網番号エリア（Ｂ）にて、位置登録が成功していないと認識し、位置登録処理を起動する。
【００６６】
上述したように、本発明の実施の形態に係る端末（移動体通信端末）は、ゾーン移行時に、報知される網番号及び位置番号と、登録網番号Ｎｏｋ・登録位置番号Ｌｏｋ、及び、失敗網番号Ｎｅｒｒ・失敗位置番号Ｌｅｒｒと比較して、不要となる位置登録処理の起動を行わない。このため、網と端末とのトラフィックの増大を抑制することができる。
また、網番号エリア間を跨ぐゾーン移行時に、位置登録が失敗した場合に、網と端末とのトラフィックに過負荷を与えないような時間経過を待ってから、位置登録処理を再度起動させている。このため、網と端末とのトラフィックの増大を抑制すると共に、着信（一斉呼出）のためのページングが降りてこない状況をなくすことができる。
この結果、通信網に対して適切な位置登録を要求することができる。
【００６７】
上記の実施の形態では、位置登録が失敗した場合に、処理部５は、ＲＡＭ４に記憶された再起動時間をタイマ５ａにセットして、網と端末とのトラフィックに過負荷を与えないような時間経過を待ってから位置登録処理を再起動させる場合について説明した。しかしながら、再起動される時間は、固定された時間に限られず、任意に選択可能である。例えば、処理部５は、乱数を発生させ、ランダムに求められた時間をタイマ５ａにセットし、所定時間の経過を待ってから位置登録処理を再起動させてもよい。この場合、複数の端末間にて異なる再起動時間がセットされることが期待でき、網と端末とのトラフィックの増大を抑制することができる。
また、位置登録処理を再起動させた際にも、位置登録が失敗した場合に、タイマ５ａにセットする時間を更に変化させるようにしてもよい。
【００６８】
【発明の効果】
以上説明したように、本発明によれば、通信網に対して適切な位置登録を要求することができる。
【図面の簡単な説明】
【図１】本発明の実施の形態に係る移動体通信端末の構成の一例を示すブロック図である。
【図２】本発明の実施の形態に係る位置登録後処理を説明するためのフローチャートである。
【図３】本発明の実施の形態に係る登録判定処理を説明するためのフローチャートである。
【図４】同一の網番号エリア内におけるゾーン移行を説明するための模式図である。
【図５】異なる網番号エリア間を跨ぐゾーン移行を説明するための模式図である。
【図６】セクタ、位置登録エリア、及び、網番号エリアの関係を説明するための模式図である。
【図７】多重化された位置登録エリアの一例を示す模式図である。
【図８】従来の移動体通信端末における登録判定処理を説明するためのフローチャートである。
【図９】従来の移動体通信端末における位置登録後処理を説明するためのフローチャートである。
【符号の説明】
１　　アンテナ
２　　無線部
３　　ＲＯＭ
４　　ＲＡＭ
５　　処理部
５ａ　タイマ
６　　表示部
７　　キー操作部
８　　スピーカ
９　　マイク
【図１】
2004032297.tif 000003
【図２】
2004032297.tif 000004
【図３】
2004032297.tif 000005
【図４】
2004032297.tif 000006
【図５】
2004032297.tif 000007
【図６】
2004032297.tif 000008
【図７】
2004032297.tif 000009
【図８】
2004032297.tif 000010
【図９】
2004032297.tif 000011